(57)【特許請求の範囲】
【請求項１】
複数のポケットティシューが上下に重ねられかつその積層面が収納箱前面に対面するようにして収納箱内に収納されているポケットティシュー収納製品であって、
前記収納箱前面に、底面から所定高さの両端部を各基端として底面側から上面側に向かって全体として凸形状をなし、裂開により取り出し口及び前記基端間をヒンジとする底板片が形成される開封用ミシン目線を有し、
前記収納箱の背面の前記ヒンジの高さよりも低い位置に、前記底板片の先端部が差し込まれるスリット部を有し、
前記開封用ミシン目線による凸形状が、底面側にポケットティシューの高さ及び幅よりも大きい幅広部と、この幅広部から段差をもって上面側に突出するように延在する窓部とを有する形状であり、
前記開封用ミシン目線の裂開によって取り出し口及び前記ヒンジと開封用ミシン目線とで囲まれる範囲からなる底板片を形成し、その底板片の先端部を収納箱内に収納された最下層のポケットティシューと底内面との間を通して前記スリット部に差し込むことで、収納箱内に前面から背面に向かって下り傾斜する底板が形成されることを特徴とするポケットティシュー収納製品。
【請求項２】
収納箱の底面に収納箱内面に押し込まれることにより立ち上がる支持片形成部を備え、立ち上げ形成された支持片により前記底板が底面側から支持される請求項１記載のポケットティシュー収納製品。
【請求項３】
前記側面から底面に架けて稜線を跨いで延在する平行な切断部とこの平行な切断部の各面の基端間に位置する折曲げ部とを有し、前記稜線を収納箱内に押し込むことにより収納箱内に突出する押し上げ片形成部を備え、押し上げ片の押し込み形成により前記底板の側部底側が底面側から支持される請求項１又は２記載のポケットティシュー収納製品。
【請求項４】
複数のポケットティシューが上下に重ねられかつその積層面が収納箱前面に対面するようにして収納箱内に収納されているポケットティシュー収納製品であって、
前記収納箱前面に、底面から所定高さの両端部を各基端として底面側から上面側に向かって全体として凸形状をなし、裂開により取り出し口及び前記基端間をヒンジとする底板片が形成される開封用ミシン目線を有し、
前記収納箱の背面の前記ヒンジの高さよりも低い位置に、前記底板片の先端部が差し込まれるスリット部を有し、
前記開封用ミシン目線の裂開によって取り出し口及び前記ヒンジと開封用ミシン目線とで囲まれる範囲からなる底板片を形成し、その底板片の先端部を収納箱内に収納された最下層のポケットティシューと底内面との間を通して前記スリット部に差し込むことで、収納箱内に前面から背面に向かって下り傾斜する底板が形成され、
かつ、収納箱の底面に収納箱内面に押し込まれることにより立ち上がる支持片形成部を備え、立ち上げ形成された支持片により前記底板が底面側から支持される、
ことを特徴とするポケットティシュー収納製品。
【請求項５】
前記側面から底面に架けて稜線を跨いで延在する平行な切断部とこの平行な切断部の各面の基端間に位置する折曲げ部とを有し、前記稜線を収納箱内に押し込むことにより収納箱内に突出する押し上げ片形成部を備え、押し上げ片の押し込み形成により前記底板の側部底側が底面側から支持される請求項１〜４の何れか１項に記載のポケットティシュー収納製品。
【請求項６】
複数のポケットティシューが上下に重ねられかつその積層面が収納箱前面に対面するようにして収納箱内に収納されているポケットティシュー収納製品であって、
前記収納箱前面に、底面から所定高さの両端部を各基端として底面側から上面側に向かって全体として凸形状をなし、裂開により取り出し口及び前記基端間をヒンジとする底板片が形成される開封用ミシン目線を有し、
前記収納箱の背面の前記ヒンジの高さよりも低い位置に、前記底板片の先端部が差し込まれるスリット部を有し、
前記開封用ミシン目線の裂開によって取り出し口及び前記ヒンジと開封用ミシン目線とで囲まれる範囲からなる底板片を形成し、その底板片の先端部を収納箱内に収納された最下層のポケットティシューと底内面との間を通して前記スリット部に差し込むことで、収納箱内に前面から背面に向かって下り傾斜する底板が形成され、
かつ、収納箱の側面から底面に架けて稜線を跨いで延在する平行な切断部とこの平行な切断部の各面の基端間に位置する折曲げ部とを有し、前記稜線を収納箱内に押し込むことにより収納箱内に突出する押し上げ片形成部を備え、押し上げ片の押し込み形成により前記底板の側部底側が底面側から支持される、
ことを特徴とするポケットティシュー収納製品。
【請求項７】
前記先端部は、底板片の上面側端部が段差を持って突出する部分であり、前記スリット部はその先端部のみが差し込まれる幅とされている請求項１〜６の何れか１項に記載のポケットティシュー収納製品。
【発明の詳細な説明】
【技術分野】
【０００１】
本発明は、ポケットティシュー複数個を収納箱に収納したポケットティシュー収納製品に関する。
【背景技術】
【０００２】
ティシュペーパーをコンパクトに折り畳んで、複数枚をフィルムにより包装したポケットティシューはよく知られる。このポケットティシューは、複数個をまとめて袋状のフィルムによってパッケージ包装されて商品として市販される。
【０００３】
他方、ポケットティシューは、通常、一つか二つ程度の個数を鞄などにいれて持ち歩き、残りを自宅に保管するか、あるいは、フィルムパッケージから数個取り出してすぐ使える状態で鞄に入れ、さらに残りについてはパッケージされたまま鞄にいれて持ち歩くようにして使用される。
このため、従来のフィルムパッケージの製品では、自宅保管しておいてポケットティシューを持ち出すには、フィルム袋からティシュペーパーを取り出す煩雑な操作があり、外出時に瞬時に持ち出し難い。
また、フィルムパッケージは、数個取り出し後、くしゃくしゃとして袋の余剰部分ができて見栄えが悪くなるため、保管するにあたっては、引出しの中など部屋の視認できないところにされることが多く、これもまたポケットティシューの持ち出し易さを妨げている。
このように従来のフィルムパッケージの製品では、ポケットティシューの使用態様からみて種々の問題点があった。
【０００４】
他方、例えば、下記特許文献１〜５に示されるようなポケットティシューホルダーも知られる。
しかし、特許文献１のものは、ディスペンサーとポケットティシュー別途に用意しなくてはならないものであり、購入してすぐに使用できず利便性の高いものではない。また、ポケットティシューを支える底板が前側から後側に向かって登り傾斜しているため、ディスペンサーを例えば靴箱などの台に載置して使用する場合、ポケットティシューを取り出そうとしたときに、その載置した台に手がぶつかって瞬時に取り出すことが困難という欠点があった。
【０００５】
他方、特許文献２〜５のものは、ポケットティシューを所謂カートン箱に入れられたポップアップ式のティシュペーパーと同様に使用するためのものであり、ポケットティシューを保管、瞬時に取り出して持ち出せるものではない。
【先行技術文献】
【特許文献】
【０００６】
【特許文献１】実用新案登録第３０６６８７７号
【特許文献２】特開２００１−２７８３６７号公報
【特許文献３】特開２００６−１５００２４号公報
【特許文献４】特開２００５−２０００９５号公報
【特許文献５】特開２０００−１０９１４７号公報
【発明の概要】
【発明が解決しようとする課題】
【０００７】
そこで、本発明の主たる課題は、別途ホルダーを用意する必要が無く、取出し口裂開後に内部に収納されたポケットティシューを一つ一つをすぐに持ち出しやすい態様となり、しかも複数個を整然と保管できて、室内においても美感を損なわず、さらに、ゴミや塵等が入り難い、ティシュペーパー収納製品を提供することにある。
【課題を解決するための手段】
【０００８】
上記課題を解決した本発明及びその作用効果は次記のとおりである。
＜請求項１記載の発明＞
複数のポケットティシューが上下に重ねられかつその積層面が収納箱前面に対面するようにして収納箱内に収納されているポケットティシュー収納製品であって、
前記収納箱前面に、底面から所定高さの両端部を各基端として底面側から上面側に向かって全体として凸形状をなし、裂開により取り出し口及び前記基端間をヒンジとする底板片が形成される開封用ミシン目線を有し、
前記収納箱の背面の前記ヒンジの高さよりも低い位置に、前記底板片の先端部が差し込まれるスリット部を有し、
前記開封用ミシン目線による凸形状が、底面側にポケットティシューの高さ及び幅よりも大きい幅広部と、この幅広部から段差をもって上面側に突出するように延在する窓部とを有する形状であり、
前記開封用ミシン目線の裂開によって取り出し口及び前記ヒンジと開封用ミシン目線とで囲まれる範囲からなる底板片を形成し、その底板片の先端部を収納箱内に収納された最下層のポケットティシューと底内面との間を通して前記スリット部に差し込むことで、収納箱内に前面から背面に向かって下り傾斜する底板が形成されることを特徴とするポケットティシュー収納製品。
【０００９】
＜請求項２記載の発明＞
収納箱の底面に収納箱内面に押し込まれることにより立ち上がる支持片形成部を備え、立ち上げ形成された支持片により前記底板が底面側から支持される請求項１記載のポケットティシュー収納製品。
＜請求項３記載の発明＞
前記側面から底面に架けて稜線を跨いで延在する平行な切断部とこの平行な切断部の各面の基端間に位置する折曲げ部とを有し、前記稜線を収納箱内に押し込むことにより収納箱内に突出する押し上げ片形成部を備え、押し上げ片の押し込み形成により前記底板の側部底側が底面側から支持される請求項１又は２記載のポケットティシュー収納製品。
【００１０】
＜請求項４記載の発明＞
複数のポケットティシューが上下に重ねられかつその積層面が収納箱前面に対面するようにして収納箱内に収納されているポケットティシュー収納製品であって、
前記収納箱前面に、底面から所定高さの両端部を各基端として底面側から上面側に向かって全体として凸形状をなし、裂開により取り出し口及び前記基端間をヒンジとする底板片が形成される開封用ミシン目線を有し、
前記収納箱の背面の前記ヒンジの高さよりも低い位置に、前記底板片の先端部が差し込まれるスリット部を有し、
前記開封用ミシン目線の裂開によって取り出し口及び前記ヒンジと開封用ミシン目線とで囲まれる範囲からなる底板片を形成し、その底板片の先端部を収納箱内に収納された最下層のポケットティシューと底内面との間を通して前記スリット部に差し込むことで、収納箱内に前面から背面に向かって下り傾斜する底板が形成され、
かつ、収納箱の底面に収納箱内面に押し込まれることにより立ち上がる支持片形成部を備え、立ち上げ形成された支持片により前記底板が底面側から支持される、
ことを特徴とするポケットティシュー収納製品。
＜請求項５記載の発明＞
前記側面から底面に架けて稜線を跨いで延在する平行な切断部とこの平行な切断部の各面の基端間に位置する折曲げ部とを有し、前記稜線を収納箱内に押し込むことにより収納箱内に突出する押し上げ片形成部を備え、押し上げ片の押し込み形成により前記底板の側部底側が底面側から支持される請求項１〜４の何れか１項に記載のポケットティシュー収納製品。
【００１１】
＜請求項６記載の発明＞
複数のポケットティシューが上下に重ねられかつその積層面が収納箱前面に対面するようにして収納箱内に収納されているポケットティシュー収納製品であって、
前記収納箱前面に、底面から所定高さの両端部を各基端として底面側から上面側に向かって全体として凸形状をなし、裂開により取り出し口及び前記基端間をヒンジとする底板片が形成される開封用ミシン目線を有し、
前記収納箱の背面の前記ヒンジの高さよりも低い位置に、前記底板片の先端部が差し込まれるスリット部を有し、
前記開封用ミシン目線の裂開によって取り出し口及び前記ヒンジと開封用ミシン目線とで囲まれる範囲からなる底板片を形成し、その底板片の先端部を収納箱内に収納された最下層のポケットティシューと底内面との間を通して前記スリット部に差し込むことで、収納箱内に前面から背面に向かって下り傾斜する底板が形成され、
かつ、収納箱の側面から底面に架けて稜線を跨いで延在する平行な切断部とこの平行な切断部の各面の基端間に位置する折曲げ部とを有し、前記稜線を収納箱内に押し込むことにより収納箱内に突出する押し上げ片形成部を備え、押し上げ片の押し込み形成により前記底板の側部底側が底面側から支持される、
ことを特徴とするポケットティシュー収納製品。
【００１２】
＜請求項７記載の発明＞
前記先端部は、底板片の上面側端部が段差を持って突出する部分であり、前記スリット部はその先端部のみが差し込まれる幅とされている請求項１〜６の何れか１項に記載のポケットティシュー収納製品。
【発明の効果】
【００１３】
以上の本発明によれば、別途ホルダーを用意する必要が無く、取出し口裂開後に内部に収納されたポケットティシューを一つ一つをすぐに持ち出しやすく、しかも複数個を整然と保管できて、室内においても美感を損なわないティシュペーパー収納製品が提供される。
【図面の簡単な説明】
【００１４】
【図１】本発明にかかるポケットティシュー収納製品の正面側からの斜視図及び開封用ミシン目線による具体的形状を説明するためのである。
【図２】本発明にかかるポケットティシュー収納製品の取り出し口形成用ミシン目線を裂開した際の斜視図である。
【図３】本発明にかかるポケットティシュー収納製品の背面側からの斜視図である。
【図４】本発明にかかるポケットティシュー収納製品の使用状態の正面側からの斜視図である。
【図５】図４の５−５断面図である。
【図６】本発明にかかるポケットティシュー収納製品の使用状態の背面側からの斜視図である。
【図７】本発明にかかるポケットティシュー収納製品の底面側からの斜視図である。
【図８】本発明にかかるポケットティシュー収納製品の使用状態の底面側からの斜視図である。
【発明を実施するための形態】
【００１５】
次いで、本発明の実施の形態を図１〜８を参照しながら以下に詳述する。
本発明は、収納箱１の内部に予めポケットティシューＰが収納されたポケットティシュー収納製品Ｘ１である。なお、本発明は、製品状態において予めポケットティシューが収納されてなる製品であって、ポケットティシューを詰め替えて使用するディスペンサーとは一線を画すものである。
【００１６】
本製品Ｘ１における収納箱１は、製品の外郭をなすものであり、その大きさ、形状、外観、展開形状等は、本発明の構成を妨げない範囲で適宜の構造を採用できる。素材としては、例えば、いわゆるティシュカートンなどに用いられる、坪量３００〜３５０ｇ／ｍ2のコートボール紙、白コートボール紙などが挙げられる。
【００１７】
収納箱１の外観形状例としては、図示のような、前面１１、側面１２、背面１３、上面１４、底面１５が矩形である六面体形状が好ましい例として挙げられる。以下、この形態を例に説明する。ただし、収納箱１の形状は、本発明の効果を妨げない範囲で適宜選択でき、六面体形状に限らず、円筒状、多角柱状等であってもよい。もちろん、収納箱１の形状は、単純な立体形状に限らない。但し、載置可能とするための平坦な底面は有するものとする。
【００１８】
ここで、本形態の収納製品Ｘ１において収納されるポケットティシューＰは、平板座布団状をなす一般的形態のものである。すなわち、折り畳まれた衛生薄葉紙（ティシュペーパー）が複数枚積層された束が、フィルムや紙などのシートによって所謂ピロー包装、ポケットティシュー包装等と呼ばれる既知の包装がされ、その一方平面に開封口形成用のミシン目線を配置したものである（本発明に関して、ポケットティシューの開封用ミシン目線が形成されている面は正面という）。
【００１９】
本製品Ｘ１においては、特にこのポケットティシューＰは、特に図２及び４から理解されるように、上下に重ねられかつその積層面が収納箱前面１１に対面するようにして収納されている。
【００２０】
本収納箱１の具体的な大きさは、ポケットティシューＰの大きさに合わせて適宜定められる。本形態の製品Ｘ１では、収納箱前面側にポケットティシューＰの長手方向側面が対面していることから、好ましく、収納箱１の幅ＡはポケットティシューＰの長手方向幅よりも１〜１５ｍｍ幅広とされ、収納箱１の内部の前後長さ（奥行き）Ｂは、ポケットティシューＰの短手方向幅より１〜１５ｍｍ長くされている。また、内部の高さは、ポケットティシューの厚さ×収納個数より余裕のある高さに構成されている。なお、ポケットティシューＰの具体的な収納個数については特に限定されない。適宜の設計事項である。さらに、収納箱前面側にポケットティシューＰの短手方向側面が対面する形態とするならば、収納箱１の内側面間はポケットティシューＰの短手方向幅よりも１〜１５ｍｍ幅広とされ、収納箱１の内部の前後長さ（奥行き）は、ポケットティシューＰの長手方向幅より１〜１５ｍｍ長くされているのがよい。
【００２１】
他方、本発明の収納箱１の前面１１には、ポケットティシューＰを取り出すための取り出し口を形成するための開封用ミシン目線２０が配されている。
【００２２】
この開封用ミシン目線２０は、特に図１から理解されるように、特徴的に収納箱１の前面の底面から所定高さの両側端部を各基端２１，２１として、底面１５側から上面１４側に向かって全体として凸形状を描くように配されている。そして、裂開により取り出し口２５が形成されるとともに前記基端間２１，２１をヒンジ２３とする舌片状の底板片３０が形成されるようになっている。ここで、前記基端２１，２１の底面１５からの所定高さＣは、概ね指一本分程度、具体的には１５±１０ｍｍとされるのが望ましい。
【００２３】
なお、本発明にいうミシン目線とは、特に限定されるものではなく、カット部と非カット部とが適宜交互に連続的に配される一般的なミシン目線である。もちろん二本の平行なミシン目線からなる所謂二重ミシン目線等の多重のミシン目線を含む意味である。さらに、カットタイ比は適宜の設計事項であり、収納箱を構成する紙等の強度を考慮して適宜さだめればよい。
【００２４】
他方、前記各基端間２１，２１の距離、すなわちヒンジ２３の長さＤは、ポケットティシューＰの長手方向幅若しくは短手方向幅と同程度若しくはこれよりも１〜１０ｍｍ長くなるように構成するのが望ましい。具体的には、ポケットティシューＰの長手方向が収納箱の前面となるように収納する形態であれば１２ｍｍ±１０ｍｍ、ポケットティシューＰの短手方向が収納箱の前面となるように収納する形態であれば８０ｍｍ±１０ｍｍ程度である。また、上述のヒンジ２３が効果的に機能するように両基端間には予め折り筋を配しておくのが望ましい。なお、ヒンジ２３の長さＤと収納箱の幅Ａが同一でもよい。
【００２５】
また、本形態の収納箱１では、開封用ミシン目線２０は、好ましい形状として、この開封用ミシン目線２０による凸形状が、底面１５側にポケットティシューＰの高さ及び幅よりも大きい幅広部２７と、この幅広部２７から段差をもって上面側に突出するように延在する窓部２８とを有するように配されている。
【００２６】
従って、開封用ミシン目線２０の裂開により収納箱前面１１の底面側にポケットティシューＰの高さ及び幅よりも大きい実質的な取り出し口２５が形成されるとともに、開封用ミシン目線２０の基端２１，２１間をヒンジ２３とする底板片３０が形成される。ここで、前記幅広部２７の幅はヒンジ２３の長さＤと同等、幅広部２７の高さＥは、ポケットティシューＰの高さの１〜１．５倍程度、ポケットティシューの一般的な高さ（厚さ）を考慮すれば、１５ｍｍ±５ｍｍ程度である。
【００２７】
他方、前記窓部２８は、収納箱前面１１の中央部に位置し、また、底面側から上面側に向かって幅狭になるようにするのが望ましい。このような窓部２８を設けることで、開封用ミシン目線２０を裂開して形成される窓２０Ａから収納箱内に積層されたポケットティシューＰの一部が露出され、もって収納箱内１に残存するポケットティシューＰの数を視覚的に確認できるようになる。また、底面側から上面側に向かって幅狭になるようにするすることで、開封用ミシン目線の裂開がし易いものとなる。
【００２８】
なお、窓部２８の具体的な幅は適宜の設計事項であるが、ポケットティシューが不要に飛び出さないように、ポケットティシューＰの幅よりも狭くする。具体的には、窓部２９の最も幅広の部分（図示例では底面側の基端間）の距離Ｆは、ポケットティシューＰの幅の５０〜８５％とするのが望ましい。
【００２９】
さらに、本形態の収納箱１においては、開封用ミシン目線２０で描かれる凸形状は、窓部２８の先端に段差をもって凸となる先端部２９が形成されている。この先端部の段差の起点間の具体的な幅は、前記ヒンジ２３の長さＤの５〜２０％であるのが望ましい。
【００３０】
他方、特に図３に示されるように、本発明の収納箱１の背面１３又は背面１３と底面１５との稜線（図示例ではこの稜線）には、ミシン目線２０の裂開により形成された底板片３０の先端部２９が差し込まれるスリット部４０が形成されている。なお、収納箱背面１３にスリット４０を形成する場合には、底面１５からの位置（高さ）を収納箱前面１１のヒンジ２３より下方位置とする。また、スリット部４０の幅は、好ましく前記先端部２９のみが差し込まれる幅とするのが望ましい。すなわち、前記ヒンジ２３の長さＤの５〜２５％であるのが望ましい。
【００３１】
ここで、本収納箱１に関して、より好ましい寸法について言及すると、まず、本発明の前記底板片３０のうち、ヒンジ２３から先端部２９の基端までの具体的な距離Ｇは、少なくとも、前記スリット部４０への底板片の先端が差し込み可能となる長さ、すなわち、√（（底面からヒンジまでの距離Ｃ）2＋（収納箱の奥行きｈ）2）と好ましくは同一であり、このようにすれば底板が歪みなく形成される。但し、＋５ｍｍ程度であれば許容範囲の歪みであり、−１０ｍｍ程度であれば或いは差し込み長を確保できる。また、先端部２９をスリット部４０に差し込んだのち、スリット４０部から突出する長さを考慮すると、先端部自体の長さＨは、１０〜３０ｍｍとするのが望ましい。
【００３２】
以上の構成をとることで、まず、前記開封用ミシン目線２０の裂開により取り出し口２５が形成されるとともに底板片３０が形成される。
【００３３】
そして、この底板片３０を収納箱内に収納された最も下に位置するポケットティシューＰ’と底内面との間に挿入し、その底板片３０の先端部２９を前記スリット部４０に差し込むことで、図４及び５に理解されるように、収納箱内に前面１１から背面１３に向かって下り傾斜する底板３１が形成される。なお、この操作がしやすいことから、前記スリット４０の位置は、背面１３に配するよりも、前記稜線に配したほうが望ましい。先端部２９の差し込み操作時に、収納箱１１の底内面がガイドとなって、底板片３０の先端部２９がスリット部４０へ導かれやすいからである。さらに、図示の形態では、この差し込み操作をし易くすべく窓部２８と幅広部２７とに折曲げ線２７Ａ，２８Ａを配して、底板片３０を収納箱内へ押し込みやすいようにしている。
【００３４】
そして、このように下り傾斜の底板３１が収納箱内に形成されると、収納箱内に収納されたポケットティシュー群Ｐ，Ｐは、特に図５に示されるが如く、取り出し口２５側が上方、収納箱背面側が下側となるように傾斜するようにして支持される。
【００３５】
従って、本製品Ｘ１を載置して使用するさいに、ポケットティシューＰの側面が前記幅広の取り出し口２５に対して、底板部の傾斜に応じて上方に向かって臨むため、ポケットティシューＰの収納箱前面側近傍部分を容易に摘んで引き出すようにしスムーズに取り出せるようになる。
【００３６】
特に、本製品Ｘ１では、上述のとおりヒンジ２３が収納箱１１の底面１５から指一本分程度上側に位置している。すなわち、取り出し口２５の下限位置が収納箱１１の底面１５から指一本分程度上方に位置しているため、取り出し操作をするにあたって、ポケットティシューを摘む際に、摘む指の間にポケットティシューが位置するようになっているので、上記取り出し性に極めて優れるのである。
ここで、ポケットティシューＰの取り出しやすさの点から、前記下り傾斜の角度αは、５〜１０°とするのが望ましい。
【００３７】
さらに、収納箱下方の幅広の取り出し口（幅広部）２５から一つのポケットティシューＰを取り出した後には、それよりも上方に位置するポケットティシュー群が自由落下して、内部のポケットティシューがなくなるまで、収納箱内におけるポケットティシュー群の収納態様が維持される。
【００３８】
さらに、本形態の収納箱においては、特に図７及び図８に示されるように、好ましく、底面１５に収納箱内面に押し込まれることにより立ち上がる支持片形成部５０が形成されている。この支持片形成部５０は、図示例のでは、略Ｈ型のミシン目線５１により形成され、Ｈ型ミシン目線５１の裂開によってＨ型の１対の各基端部間をヒンジ５２として、収納箱内に押し込まれたときに支持片５５が立ち上がるように構成されている。なお、支持片形成部５０の位置は、底板３１に当接可能な適宜の位置とすることができる。また、形成される支持片５５の高さについては、当該位置と底板３１の底面１５に対する傾斜から適宜算出すればよい。
【００３９】
さらに、本形態の収納箱１については、側面１２，１２から底面１５にかけて稜線を跨いで延在する平行なミシン目線などからなる切断部６１，６１とこの平行な切断部６１，６１の各面の基端間に位置する折曲げ部６２，６２とを有し、前記切断部６１，６１間の稜線を収納箱内に押し込むことにより、収納箱内に突出して前記底板３１を支持する押し上げ片形成部６０，６０を備える。
【００４０】
これらの支持片形成部５０及び押し上げ片形成部６０を機能させて、収納箱底面側から収納箱内に支持片５５や押し上げ片６５を形成することで、上述の底板３１が効果的に底面側から支持され、もって、ポケットティシューＰの重量によって、底板３１が撓むことが防止され、常に収納箱内における最下層のポケットティシュー側面が取り出し口２５に臨む態様が担保される。
【００４１】
以上詳述の、本収納製品Ｘ１では、底板片３１を機能させると、最下層のポケットティシューＰが収納箱内で取り出し口２５に向かって上方傾斜して、その側面を取り出し口２５に向けて収納されるようになり、ポケットティシューＰの側部を容易に摘んで引き出せるようになる。さらに、内包されるポケットティシューＰを取り出して持ち出すにあたって、内包されているポケットティシューＰが少なくなった場合にも、常に当該ポケットティシューＰの収納態様が維持され、もって、極めて持ち出し性に優れる。
【００４２】
さらに、本収納製品Ｘ１は、収納箱１というしっかりとした外郭を有するため、フィルム包装のような開封後にくしゃくしゃになることがなく、いわゆるティシュカートンのように室内に載置したままでも見栄えがよい。これは、収納箱外面に印刷などによって模様を伏せばよりいっそう効果が発揮される。
【００４３】
このようなことから、引出しなどにしまうことなく室内、例えば、玄関などに載置して使用しやすく、もって外出時に瞬時に取り出して持ち出しやすいという効果がさらに高められている。
【００４４】
このように、本収納製品Ｘ１は、別途ホルダーを用意する必要が無く、取出し口裂開後に内部に収納されたポケットティシューＰを一つ一つをすぐに持ち出しやすい態様となり、しかも複数個を整然と保管できて、室内においても美感を損なわず、しかも、ゴミや塵等が入り難い、ポケットティシュペーパー収納製品なのである。
【符号の説明】
【００４５】
Ｘ１…ポケットティシュー収納製品、Ｐ（Ｐ’）…ポケットティシュー、１…収納箱、１１…前面、１２…側面、１３…背面、１４…上面、底面…１５、２０…取り出し口形成用ミシン目線、２０Ａ…開口部、２１…取り出し口形成用ミシン目線の基端、２３…ヒンジ、２５…取り出し口、２７…幅広部、２７Ａ…折曲げ線、２８…突出部、２８Ａ…折曲げ線、２９…先端部、３０…底板片、３１…底板、４０…スリット部、５０…支持片形成部、５１…ミシン目線、５２…ヒンジ、５５…支持片、６１…切断部、６５…押し上げ片、Ａ…収納箱の幅、Ｂ…収納箱の奥行き、Ｃ…基端の底面からの所定高さ、Ｄ…ヒンジの長さ、Ｅ…幅広部の高さ、Ｆ…窓部の底面側基端間距離、Ｇ…ヒンジから先端部の基端までの距離、Ｈ…先端部自体の長さ。
【図１】
0005449927.tif 000002
【図２】
0005449927.tif 000003
【図３】
0005449927.tif 000004
【図４】
0005449927.tif 000005
【図５】
0005449927.tif 000006
【図６】
0005449927.tif 000007
【図７】
0005449927.tif 000008
【図８】
0005449927.tif 000009